(57)【要約】【課題】流体吐出器を動作させるに際して、外容器に収納された合成樹脂製の内容器のソフトシェルが反転ラインを起点にほぼ均等に陥没することができる二重容器を提供する。【解決手段】本発明の二重容器１は、口部１１１に取り付けたポンプ１２０からの吐出によって生じる内部圧力の減少により、肩部、胴部、ヒール部および底部を通って縦方向に周回する反転ラインＬ１を起点に保形性を確保する剛性の高いハードシェル１１２に向かって反転し該ハードシェル１１２に密着する剛性の低いソフトシェル１１３を有する合成樹脂製の内容器１１０と、この内容器１１０を収納する収納部１３１を有し該収納部１３１からポンプ１２０が露出する外容器１３０からなる二重容器であって、外容器１３０の収納部１３１に、内容器１１０を収納した状態でソフトシェル１１３のうちで剛性の高いヒール部１１３ｃを押圧してヒール部１１３ｃに変形を与えて、内容器１１０の減圧に伴って反転ラインＬ１を起点にする反転を誘発する押圧部１３３を設けてなることを特徴とする。【選択図】　　　　図１
2004001783.tif 000002
【特許請求の範囲】
【請求項１】
流体吐出器を口部に取り付け、この流体吐出器から内容物が吐出されることによって生じる内部圧力の減少により、肩部、胴部、ヒール部および底部を通って縦方向に周回する反転ラインを起点に保形性を確保する剛性の高いハードシェルに向かって反転可能な剛性の低いソフトシェルを有する合成樹脂製の内容器と、この内容器を収納する収納部を有し該収納部から前記流体吐出器が露出する外容器からなる二重容器において、
前記外容器の収納部に、前記内容器を収納した状態で前記ソフトシェルのうちで剛性の高い難屈部分を押圧して該難屈部分に変形を与えて、前記内容器の減圧に伴って前記反転ラインを起点にする反転を誘発する押圧部を設けてなることを特徴とする二重容器。
【請求項２】
前記難屈部分は、前記内容器のソフトシェルにおけるヒール部である請求項１に記載の二重容器。
【請求項３】
前記難屈部分は、前記内容器のソフトシェルにおける肩部である請求項１または２に記載の二重容器。
【請求項４】
前記難屈部分は、前記内容器のソフトシェルにおける胴部である請求項１乃至３のいずれか一項に記載の二重容器。
【請求項５】
前記押圧部は、前記難屈部分と接触する接触部分が丸みを帯びたアール形状をなすものである請求項１乃至４のいずれか一項に記載の二重容器。
【請求項６】
前記ハードシェルおよび前記ソフトシェルは、その一方が無色で他方が有色からなるもの、または、互いに異なる色彩からなるものである請求項１乃至５のいずれか一項に記載の二重容器。
【発明の詳細な説明】
【０００１】
【発明の属する技術分野】
本発明は、流体吐出器を口部に取り付けた内容器と、この内容器を流体吐出器が露出した状態で収納する外容器とからなる二重容器に関するものである。
【０００２】
【従来の技術】
二重容器は、シャンプーやリンスまたは液体石鹸などの内容物を外容器に収納した内容器に充填し、この内容器の口部に取り付けたポンプを操作することにより内容器の内容物を汲み上げる容器として用いられており、内容器として取り替えの自由なレフィル容器を用いることは既知である。
【０００３】
しかしながら、こうした二重容器にあっては、ポンプなどの流体吐出器で内容器の内容物を汲み上げるに際して内容器の内部圧力が減少するため、内容器に変形を伴うが、この変形が均等に行われないと内容器の内容物が完全に排出できないという不都合があった。
【０００４】
そこで、本願発明者は、二重容器の内容器として、例えば、本願出願人が先に出願した特開２００２−１０４３５５号公報に開示された合成樹脂製容器を採用することを発想することに至った。
【０００５】
上記合成樹脂製容器は、運搬、保管および廃棄を考慮して、容器本体の肩部、胴部、ヒール部および底部を通って縦方向に周回する反転ラインによって、容器本体の保形性を確保する剛性の高いハードシェルおよび、このハードシェルに向かって反転可能な剛性の低いソフトシェルに区分けされるものである。このため、この合成樹脂製容器を内容器として採用し、内容器の口部に取り付けたポンプによって内容物を排出すると、内容器の内部圧力が減少するため、ソフトシェルが反転ラインからハードシェルに向かって陥没して減容化を図ることができ、しかも、その内容物の排出に係わる残量の減少を図ることができる。
【０００６】
【発明が解決しようとする課題】
ところが、こうした合成樹脂製容器を採用した内容器であっても、内容器のソフトシェルのうちで剛性の高い難屈部分、例えば、内容器がハードシェルおよびソフトシェルのヒール部によって直立状態に接地可能な所謂スタンディングボトルである場合、このソフトシェルのヒール部が難屈部分となって減圧による変形が起こりにくいため、ソフトシェルの陥没がその胴部付近から発生し、ヒール部での陥没が不完全となってしまうことが本願発明者の研究により明らかになった。
【０００７】
このため、反転ラインによってハードシェルおよびソフトシェルに区画された合成樹脂製容器を内容器として使用する二重容器にあっても、内容器の減容化が不完全で、しかも、内容器に充填した内容物残量の減少を図るという不都合を解消するに至らなかった。
【０００８】
本発明の解決すべき課題は、上述した問題点に鑑みてなされたものであって、流体吐出器を動作させるに際して、外容器に収納された合成樹脂製の内容器のソフトシェルが反転ラインを起点にほぼ均等に陥没して内容物残量の減少を図る二重容器を提供することにある。
【０００９】
【課題を解決するための手段】
この課題を解決するため、請求項１に係る二重容器は、流体吐出器を口部に取り付け、この流体吐出器から内容物が吐出されることによって生じる内部圧力の減少により、肩部、胴部、ヒール部および底部を通って縦方向に周回する反転ラインを起点に保形性を確保する剛性の高いハードシェルに向かって反転可能な剛性の低いソフトシェルを有する合成樹脂製の内容器と、この内容器を収納する収納部を有し該収納部から流体吐出器が露出する外容器からなる二重容器において、外容器の収納部に、内容器を収納した状態でソフトシェルのうちで剛性の高い難屈部分を押圧して該難屈部分に変形を与えて、内容器の減圧に伴って反転ラインを起点にする反転を誘発する押圧部を設けてなることを特徴とするものである。
【００１０】
なお、請求項１に係る二重容器において、内容器のハードシェルおよびソフトシェルは、ハードシェルおよびソフトシェルの肉厚で剛性の差を設定するものであってもよい。同様にハードシェルおよびソフトシェルは、同種の硬質および軟質材料で剛性の差を設定するものであっても、異種の硬質材料および軟質材料で剛性の差を設定するものであってもよい。
【００１１】
また請求項１に係る二重容器において、内容器のソフトシェルは、反転ラインを起点にハードシェルに向かって反転するものであればよく、このソフトシェルが内容器の内部圧力を高めることによって元の形状に復元できるものであるかどうは任意である。
【００１２】
請求項２に係る二重容器は、請求項１に係る二重容器において、難屈部分が内容器のソフトシェルにおけるヒール部である。
【００１３】
請求項３に係る二重容器は、請求項１または２に係る二重容器において、難屈部分が内容器のソフトシェルにおける肩部である。
【００１４】
請求項４に係る二重容器は、請求項１乃至３のいずれか一項に係る二重容器において、難屈部分が内容器のソフトシェルにおける胴部である。
【００１５】
請求項５に係る二重容器は、請求項１乃至４のいずれか一項に係る二重容器において、押圧部は難屈部分と接触する接触部分が丸みを帯びたアール形状をなすものである。
【００１６】
請求項６に係る二重容器は、請求項１乃至５のいずれか一項に係る二重容器において、ハードシェルおよびソフトシェルは、その一方が無色で他方が有色からなるもの、または、互いに異なる色彩からなるものである。
【００１７】
【発明の実施の形態】
以下、本発明の実施の形態を添付図面に基づき詳細に説明する。
【００１８】
図１（ａ）〜（ｃ）はそれぞれ、本発明の第１の実施形態である二重容器１を側面から示す平面図と、二重容器１の背面をボトル軸線で分割した一部断面図と、二重容器１を底面から示す平面図である。
【００１９】
また図２（ａ）〜（ｄ）はそれぞれ、内容器１１０の側面、正面、上面および底面を示す平面図である。
【００２０】
二重容器１は、運搬、保管および廃棄を考慮してそのシェル（殻壁）が陥没および復元可能な合成樹脂製の内容器１１０と、この内容器１１０の口部１１１に取り付けられる流体吐出器であるポンプ１２０と、このポンプ１２０を露出した状態で内容器１１０を収納する外容器１３０からなる。但し、外容器１３０は、説明を容易にするため、透明な合成樹脂製容器としているが、その色彩・材質はこれに限るものではない。
【００２１】
内容器１１０は、図２（ａ），（ｂ）に示す如く、肩部、胴部、ヒール部および底部を通って縦方向に周回する反転ラインＬ１によって、保形性を確保する剛性の高いハードシェル１１２および、このハードシェル１１２に向かって反転可能な剛性の低いソフトシェル１１３に区分けされるものであり、ハードシェル１１２のヒール部１１２ｃおよびソフトシェル１１３のヒール部１１３ｃを座部として接地可能なスタンディングタイプのボトル型容器である。
【００２２】
ポンプ１２０は、ポンプヘッド１２１の上下運動によってポンプ作用が惹起される定量ポンプであり、内容器１１０内の気密性は、ポンプ１２０によって確保されるため、ポンプ１２０のポンプヘッド１２１を旋回させてロックを解除したのち上下運動させると、内容器１１０の内容物がポンプ１２０のパイプ１２２から汲み上げられてポンプヘッド１２１に設けたノズル１２１ａから吐出される。
【００２３】
外容器１３０は、着脱自在な２つのパーツ１３０ａおよびパーツ１３０ｂからなり、これらパーツ１３０ａ，１３０ｂ間に内容器１１０を収納する収納部１３１を画成し、内容器１１０に取り付けたポンプ１２０がパーツ１３０ａから露出した状態に配置されている。また外容器１３０の収納部１３１には、内容器１１０を収納した状態でソフトシェル１１３のうちで剛性の高い難屈部分であるヒール部１１３ｃを押圧してこのヒール部１１３ｃに変形を与える押圧部１３３が設けられている。
【００２４】
なお、図１に示す押圧部１３３は、パーツ１３０ｂの外観形状を収納部１３１側に凹ませた凹部からなるものであるが、この押圧部１３３の形状は、これに限ることなく、例えば、パーツ１３０ｂの外観形状を凹ますことなく収納部１３１側に凸となるリブなどであってもよい。
【００２５】
このため、二重容器１は、ポンプ１２０のポンプヘッド１２１を上下運動させると、内容器１１０の内容物をポンプ１２０のパイプ１２２から汲み上げてポンプヘッド１２１に設けたノズル１２１ａから吐出する。このとき、内容器１１０内の気密性はポンプ１２０によって確保されるため、例えば、図１（ｂ）に示すようにポンプ１２０のパイプ１２２としてその先端が胴部１１３ｂ付近で途切れたものを利用しても、ポンプノズル１２１ａから内容物が吐出されることによって生じる内部圧力の減少に際し、ソフトシェル１１３の陥没は、押圧部１３３によって予め変形したヒール部１１３ｃを起点に開始されることになる。このため、ソフトシェル１１３は、ポンプ１２０から内容物が吐出されることによって生じる内部圧力の減少に際し、反転ラインＬ１を起点にほぼ均等にハードシェル１１２に向かって陥没する。
【００２６】
従って本実施形態の二重容器１によれば、定量ポンプ１２０を動作させるに際し、ソフトシェル１１３が反転ラインＬ１を起点にほぼ均等にハードシェル１１２に向かって陥没することにより、内容器１１０を減容化することができ、しかも、内容器１１０の内容物残量の減少を図ることができる。
【００２７】
また本実施形態の場合、内容器１１０におけるソフトシェル１１３のうちで剛性の高い難屈部分をソフトシェル１１３におけるヒール部１１３ｃとして、押圧部１３３をパーツ１３０ｂの底隅付近に設けたことから、内容器１１０のように、単体の状態でハードシェル１１２およびソフトシェル１１３のヒール部１１２ｃ，１１３ｃを座部として接地されるスタンディングタイプのボトル型容器に適用することができる。
【００２８】
また本発明によれば、内容器１１０におけるソフトシェル１１３のうちで剛性の高い難屈部分をソフトシェル１１３における肩部１１３ａとして、押圧部１３３をパーツ１３０ａの内側面ｆａに設けてもよい。この場合、内容器１１０が単体の状態で口部１１１を座部として倒立状態で接地されるスタンディングタイプのボトル型容器である場合に適用することができる。
【００２９】
さらに本発明によれば、内容器１１０におけるソフトシェル１１３のうちで剛性の高い難屈部分をソフトシェル１１３における胴部１１３ｂとして、押圧部１３３をパーツ１３０ａの内側面ｆａまたはパーツ１３０ｂの内側面ｆｂの少なくとも一方に設けてもよい。この場合、内容器１１０におけるソフトシェル１１３の横断面が多角形形状を呈する外観形状からなる容器である場合に適用することができる。
【００３０】
こうしたことから、押圧部１３３は、ソフトシェル１１３の肩部１１３ａ、胴部１１３ｂおよびヒール部１１３ｃのいずれか１つの難屈部分を押圧するように設けるに限らず、これらを組み合わせて１つまたは複数の難屈部分を押圧するように設ければよい。
【００３１】
また本発明に係る二重容器１において、押圧部１３３は難屈部分と接触する接触部分１３３ｅが、図１（ｃ）の符号ｒに示す如く、丸みを帯びたアール形状をなすものであることが好ましい。この場合、ソフトシェル１１３に押圧する際の接触面積を大きく得られることから、ソフトシェル１１３の陥没は、押圧部１３３によって予め変形した難屈部分を起点に確実に開始することができる。
【００３２】
さらに内容器１１０のハードシェル１１２およびソフトシェル１１３は、その一方が無色（透明）で他方が有色からなるもの、または、互いに異なる色彩からなるものであることが好ましい。この場合、視覚によってハードシェル１１２およびソフトシェル１１３を容易に区別することができることから、外容器１３０に内容器１１０を収納するに際して、簡単且つ確実に、ソフトシェル１１３を押圧部１３３側に向けて配置することができる。
【００３３】
なお、内容器の形態は、図２に示すものに限るものではない。図３（ａ）〜（ｄ）はそれぞれ、他の実施形態である内容器１４０をその側面、正面、上面および底面から示す平面図である。
【００３４】
内容器１４０は、図３に示す如く、口部１４１が内容器１４０の軸線Ｏに対して偏心し、肩部、胴部、ヒール部および底部を通って縦方向に周回する反転ラインＬ２によって、保形性を確保する剛性の高いハードシェル１４２およびこのハードシェル１４２に向かって反転可能な剛性の低いソフトシェル１４３とにほぼ均等に区分けされるものであり、ハードシェル１４２のヒール部１４２ｃおよびソフトシェル１４３のヒール部１４３ｃを座部として接地可能なスタンディングタイプの合成樹脂製ボトル型容器である。
【００３５】
図４，５はそれぞれ、内容器１４０におけるソフトシェル１４３のヒール部１４３ｃを押圧する直前の状態およびヒール部１４３ｃを押圧した状態を正面から示す解析図であり、図６〜８はそれぞれ、ソフトシェル１４３のヒール部１４３ｃを押圧する直前の状態、ヒール部１４３ｃを押圧した状態および内容器１４０の内容物を排出して減圧した状態を示す斜視解析図である。
【００３６】
この解析結果から明らかなように、図４，６に示す内容器１４０にあっては、押圧部１３３に該当する梁Ｂがソフトシェル１４３のヒール部１４３ｃを押圧して図５および図７に示すような変形を与えるから、内容物が排出されることによって生じる内部圧力の減少に際し、ソフトシェル１４３の陥没は、梁Ｂによって予め変形したヒール部１４３ｃを起点に開始される。このため、ソフトシェル１４３は、内容物が排出されることによって生じる内部圧力の減少に際し、図８に示す如く、反転ラインＬ２を起点にほぼ均等にハードシェル１４２に向かって陥没する。
【００３７】
従ってソフトシェル１４３のヒール部１４３ｃを予め押圧しておくと、ポンプ１２０を動作させるに際し、ソフトシェル１４３が反転ラインＬ２を起点にほぼ均等にハードシェル１４２に向かって陥没することにより、内容器１４０を減容化することができ、しかも、内容器１４０の内容物残量の減少を図ることができることが明らかである。
【００３８】
これに対し、図９，１０はそれぞれ、容器１４０を予め押圧することなく減圧する場合を解析したものであって、内容器１４０の内容物を排出する直前の状態および内容器１４０の内容物を排出して減圧した状態を示す斜視解析図である。
【００３９】
この場合、ソフトシェル１４３のヒール部１４３ｃがソフトシェル１４３のうちで剛性の高い難屈部分となるため、図１０に示す如く、この胴部１４３ｂ付近にてソフトシェル１４３の陥没が発生し、剛性の高いヒール部１４３ｃでの陥没が不完全となってしまう。この解析からみても、内容器１４０を予め押圧することなく減圧すると、内容器１４０の減容化も不完全になり、しかも、内容器１４０の内容物が剛性の高い難屈部分であるヒール部１４３ｃに残留することが明らかである。
【００４０】
なお、外容器に収納される内容器の実施形態は様々である。図１１（ａ）〜（ｄ）に、他の実施形態である内容器１５０の側面図、正面図、上面図および底面図を示し、図１２（ａ）〜（ｃ）にそれぞれ、内容器１５０の要部断面図を示す。
【００４１】
内容器１５０は、図１１（ｂ）に示す如く、口部１５１が内容器１５０の軸線Ｏに対して偏心し、肩部、胴部、ヒール部および底部を通って縦方向に周回する反転ラインＬ３によって、保形性を確保する剛性の高いハードシェル１５２およびこのハードシェル１５２に向かって反転可能な剛性の低いソフトシェル１５３とにほぼ均等に区分けされるものであり、ハードシェル１５２のヒール部１５２ｃおよびソフトシェル１５３のヒール部１５３ｃを座部として接地可能なスタンディングタイプの合成樹脂製ボトル型容器である。
【００４２】
ソフトシェル１５３は、図１１（ｂ）および図１２に示す如く、そのヒール部１５３ｃにハードシェル１５２のヒール部１５２ｃに設けられたアールＲ１と同等の曲率半径を有し内容器１５０の自立性を確保する外向きに凸となるアールＲ１′と、このアールＲ１′よりも大きな曲率半径からなりソフトシェル１５３の全域にわたる変形を導く外向きに凸となるアールＲ２を有する。
【００４３】
こうした構成を有する内容器１５０は、容器１５０が空の状態でソフトシェル１５３をハードシェル１５２に押圧することで、図８の解析図に示すように反転ラインＬ３を起点にほぼ均等にハードシェル１５２に向かって陥没させることができる。
【００４４】
上述したところは、本発明の好適な実施形態を示したに過ぎず、当業者によれば、請求の範囲において、種々の変更を加えることができる。
【００４５】
例えば、ハードシェルおよびソフトシェルは、特開２００２−１０４３５５号公報に開示した如く、ハードシェルおよびソフトシェルの肉厚で剛性の差を設定するものであってもよいが、例えば、ハードシェルおよびソフトシェルがそれぞれ高密度ＰＥ（ポリエチレン）および低密度ＰＥ等のように、同種の硬質および軟質材料で剛性の差を設定するものであっても、ハードシェルおよびソフトシェルがそれぞれＰＰ（ポリプロピレン）およびＰＥ（ポリエチレン）等のように、異種の硬質材料および軟質材料で剛性の差を設定するものであってもよい。
【００４６】
さらにソフトシェルにあっては、反転ラインを起点にハードシェルに向かって反転可能なものであればよく、特開２００２−１０４３５５号公報に開示した如く、反転したソフトシェルが内容器の内部圧力を高めることによって元の形状に復元できるものであるかどうは任意である。
【００４７】
【発明の効果】
本発明に係る二重容器は、外容器の収納部に、内容器を収納した状態でソフトシェルのうちで剛性の高い難屈部分を押圧して該難屈部分に変形を与えて、内容器の減圧に伴って反転ラインを起点にする反転を誘発する押圧部を設けてなるものであるから、ソフトシェルの陥没は、押圧部によって予め変形した難屈部分を起点に開始されることになる。このため、ソフトシェルは、流体吐出器から内容物が吐出されることによって生じる内部圧力の減少に際し、反転ラインを起点にほぼ均等にハードシェルに向かって陥没する。
【００４８】
従って本発明によれば、流体吐出器を動作させるに際し、ソフトシェルが反転ラインを起点にほぼ均等にハードシェルに向かって陥没することにより、内容器を減容化することができ、しかも、内容器の内容物残量の減少を図ることができる。
【図面の簡単な説明】
【図１】（ａ）〜（ｃ）はそれぞれ、本発明の第１の実施形態である二重容器を側面から示す平面図と、この二重容器の背面をボトル軸線で分割した一部断面図と、二重容器を底面から示す平面図である。
【図２】（ａ）〜（ｄ）はそれぞれ、同実施形態における内容器の側面、正面、上面および底面を示す平面図である。
【図３】（ａ）〜（ｄ）はそれぞれ、他の実施形態である内容器をその側面、正面、上面および底面から示す平面図である。
【図４】図３の内容器におけるソフトシェルのヒール部を押圧する直前の状態を正面から示す解析図である。
【図５】図３の内容器におけるソフトシェルのヒール部を押圧した状態を正面から示す解析図である。
【図６】図３の内容器におけるソフトシェルのヒール部を押圧する直前の状態を示す斜視解析図である。
【図７】図３の内容器におけるソフトシェルのヒール部を押圧した状態を示す斜視解析図である。
【図８】図３の内容器の内容物を排出して減圧した状態を示す斜視解析図である。
【図９】図３の内容器を予め押圧することなく減圧する場合を解析したものであって、内容器の内容物を排出する直前の状態を示す斜視解析図である。
【図１０】同解析において、内容器の内容物を排出して減圧した状態を示す斜視解析図である。
【図１１】（ａ）〜（ｄ）に、他の実施形態である内容器を示す側面図、正面図、上面図および底面図である。
【図１２】（ａ）〜（ｃ）にそれぞれ、図１１に示す内容器の要部断面図である。
【符号の説明】
１　二重容器
１１０　内容器
１１１　口部
１１２　ハードシェル
１１２ｃ　ヒール部
１１３　ソフトシェル
１１３ａ　肩部
１１３ｂ　胴部
１１３ｃ　ヒール部
１２０　定量ポンプ
１３０　外容器
１３３　凹部（押圧部）
１３３ｅ　接触部分
１４０　内容器
１４１　口部
１４２　ハードシェル
１４２ｃ　ヒール部
１４３　ソフトシェル
１４３ａ　肩部
１４３ｂ　胴部
１４３ｃ　ヒール部
１５０　内容器
１５１　口部
１５２　ハードシェル
１５２ｃ　ヒール部
１５３　ソフトシェル
１５３ａ　肩部
１５３ｂ　胴部
１５３ｃ　ヒール部
Ｂ　梁
【図１】
2004001783.tif 000003
【図２】
2004001783.tif 000004
【図３】
2004001783.tif 000005
【図４】
2004001783.tif 000006
【図５】
2004001783.tif 000007
【図６】
2004001783.tif 000008
【図７】
2004001783.tif 000009
【図８】
2004001783.tif 000010
【図９】
2004001783.tif 000011
【図１０】
2004001783.tif 000012
【図１１】
2004001783.tif 000013
【図１２】
2004001783.tif 000014